(57)【要約】【課題】ラック複数台を連結設置する場合にラック設置の労力を削減できる上、組立工程を削減でき、現地組立も容易になる。また扉による通路占有がなく、免震装置の使用数量の削減、さらに軽量化、低価格化が可能な一体構造のラックを提供する。【解決手段】複数台分を一体構造とした下部枠１にアングル枠３を取り付け、上部枠２を乗せて取り付ける事により複数台分の搭載が可能となり、ラック複数台分を一体構造の下部枠１・上部枠２にする事により共有部分を削減し、部品点数の削減を図る事により組立工数削減を実現し、軽量化と低価格化、さらに連結時の累積寸法誤差を減らせ、配線スペースを広く確保し、引戸６を選択する事により通路の占有をせず、下部枠１にて搭載荷重を支えることにより免震装置の数量の削減を可能とした。【選択図】図１
2014216633.tif 000002
【特許請求の範囲】
【請求項１】
ラック複数台分を一体構造の下部枠・上部枠にする事により軽量化と低価格化を実現し、連結時の累積寸法誤差を少なく出来、配線スペースを広く確保できる事を特徴としたラック。
【請求項２】
ラック複数台分の扉を引戸にする事により、通路を開閉スペースとして占有しない事を特徴とするラック。
【請求項３】
ラック複数台分を一体構造の下部枠・上部枠にする事により免震装置の使用数量を減らせることを特徴としたラック。
【発明の詳細な説明】
【技術分野】
【０００１】本発明はサーバ等の一体構造ラックであり、安価、省スペース、セキュリティー性等に優れた一体構造ラックに関する。
【背景技術】
【０００２】情報化社会の進展につれて情報機器の利用が拡大し、データセンターは大型化、高密度化が進んでいる。そのデータセンターに設置される収納ラックは軽量化、省スペース化、低価格化が要求される。
【先行技術文献】
【特許文献】
【０００３】
【特許文献１】特許公開２０１２−２０４５１６
【非特許文献】
【０００４】
【非特許文献１】ＳＤＣＲラック、中央電子株式会社［平成２５年４月１９日］＜ＵＲＬ：ｈｔｔｐ：／／ｗｗｗ．ｃｅｃ．ｃｏ．ｊｐ／ＣＥＣ／ｐｒｏｄｕｃｔｓ／ｆｕｎｉ／ｓｄｃｒ．ｈｔｍｌ＞
【発明の概要】
【発明が解決しようとする課題】
【０００５】例えば、特許文献１はラック間にマウントフレーム以外の柱がある為、省スペース化の効果は少ない。また設置の作業性向上は困難である。【０００６】例えば、非特許文献１のラックは扉や側板を取り外した状態で基本フレームを連結設置できる。この場合、二重になる側板と柱が削減でき省スペースになる。しかし、上下枠はラック毎に必要であり設置の作業性、ラック複数台を連結した時の累積寸法誤差の削減効果は少なく、部品点数を削減できない為に低価格化も困難である。【０００７】データセンターなどで多数のラックを連結設置する場合、ラック１台毎に水平、垂直を確認しながらの作業となり、ラック設置に多くの労力を要する。【０００８】データセンターなどで多数のラックを連結設置する場合、隣接するラックのフレームと側板は機能が重複することになり、スペースを多く必要とし、重量も大きくなる。【０００９】データセンターなどで多数のラックを連結設置する場合、１台毎にラックとしての機能を有し共有部分を削減できない為に低価格を実現することが困難である。【００１０】占有スペースを小さくする観音開きの扉にしても、通路を確保するスペースが必要になる。【００１１】データセンターなどで多数のラックの免震装置をラック底部に設置する場合、ラック端部と連結箇所の全てに設置することになり、費用が嵩むことになる。【００１２】ラックの搬送は、組立後梱包して行われることが一般的であり、輸送効率が悪い。【００１３】データセンターなどで多数のラックを連結設置する場合、ラック１台毎にセキュリティーを確保する為の鍵を設ける必要があり、管理を含めて費用が嵩む。【００１４】ラックの効率的な冷却を行う為に、背面合わせ２列のラック間に高温の排気を分離する為の通路を構成する。その為の構成材料が別途必要になる。【００１５】データセンターなどのラックは益々高密度実装される状況にある。冷却効率を向上する為にラック扉の開口率は大きくなってきているが、強度を保つ為の補強で重量が重くなってしまう。
【課題を解決するための手段】
【００１６】複数台のラック本体を一つの構造体にすることにより、部品点数を削減できる構造を有するラック。【００１７】複数台のラック本体を一つの構造体にすることにより、組立工程を削減できる構造を有するラック。【００１８】扉の開閉方法を１枚扉、観音扉、さらに引戸と選択できる構造を有するラック。【００１９】ラックを前面合わせもしくは背面合わせに２列設置した場合に、２列の間に通路を構成できる構造を有するラック。
【発明の効果】
【００２０】ラック本体複数台を一体構造にすることにより、複数台分を一度に水平、垂直を確認できるので、ラック設置の労力を削減できる。【００２１】ラック本体複数台を一体構造にすることにより、共有部分を削減する事による材料費や加工工数、組立工数が削減され、軽量化や低価格化ができる。【００２２】ラック本体複数台を一体構造にすることにより、間口を広くでき扉を引戸にした時に搭載作業等のスペースを確保できる。さらに通路の有効スペースも確保できる。【００２３】ラック本体複数台を一体構造にすることにより、免震装置をラック底面に設置する場合、免震装置の数量を減らすことができ、費用が削減できる。さらに通線スペースの確保にも有効である。【００２４】ラック本体複数台を一体構造にすることにより、部品点数を削減する事による組立工程を削減でき、現地組立も容易になる。さらに部材単位で運搬でき、運送費用を削減でき環境にもやさしい。【００２５】ラック本体複数台を一体構造にすることにより、モジュール型データセンターとして１ユニットとして独立させることができ、セキュリティーや監視が容易になる。【００２６】ラック本体を前面合わせもしわくは背面合わせに２列設置することにより、ラック間を通路として分割構成することができ、排熱や吸気などの分離が効率的に出来るようになり、設置費用や運用コストの削減になり環境にもやさしい。【００２７】扉を引戸にすることにより、上下で保持される為に扉の補強を必要とせず軽量化ができる。【００２８】扉を引戸にすることにより、扉の補強を必要とせずパンチングやアクリルの開口部を大きくすることが可能になる。【００２９】扉を引戸にすることにより、機器搭載やメンテナンスの場合に扉を外して壁に立てかけたりしなくてすむ為、機器搭載の作業性、安全性の向上及び通路スペースを確保できる。
【図面の簡単な説明】
【００３０】
【図１】一体構造ラックと免震装置の一部分解を示した斜視説明図である。
【図２】一体構造ラック本体の分解状態を示した斜視説明図である。
【図３】扉を引戸にした時の斜視説明図である。
【図４】従来の開き扉にした時の簡易図である。
【図５】引戸にした時の簡易図である。
【図６】従来の連結ラックに免震装置を設置した時の底面図である。
【図７】一体構造ラックにて免震装置を設置した時の底面図である。
【図８】２列に設置しラック間を通路とする時の分解状態を示した斜視説明図である。
【図９】２列に設置しラック間を通路とする時の斜視説明図である。
【図１０】ラック２台分、４台分の場合の斜視説明図である。
【発明を実施するための形態】
【００３１】本発明によるラックの一実施例を添付図１〜１０に基づいて説明する。
【００３２】例えばラック３台分を一体構造とした下部枠１に３組のアングル枠３を取り付け、上部枠２を乗せて取り付けると３台分の搭載が可能となる。
【００３３】側板７は側板ガイド５を取り付けることにより、ラック連結の端面でも連結面でも取り付ける事が可能となる。
【００３４】扉は下部枠１と上部枠２を変えることなく、１枚扉や観音扉、さらに引戸と選択し実装する事ができる。引戸を選択した場合は、１枚扉や観音扉のように通路を占有する事がない。
【００３５】複数台分を一体構造とした下部枠１にて搭載荷重を支えているので、免震装置の数量は従来の設置数量より減らしても強度的に耐えられる。
【００３６】上部枠フサギ板４の仕様を変えることにより、小型ファンや大型ファン、さらにダクトなどにも対応する事が可能となる。
【００３７】ラックを２列並べて設置した時に連結通しフレーム１０を上部にて固定し、通しフレーム天板１２、通路天板１１を乗せ固定する。そして通しフレーム正面フサギ板１４を固定する事によりラック上部は連結され開口も塞がれる事となる。２列の間を通路扉ガイド９と通路扉８を取り付ける事により排熱や吸気の分離を効率的に行う事が出来るようになる。
【００３８】上記実施形態ではラック３台分を一体構造とした一例を説明しているが、本発明に係る一体構造ラックはラック複数台分すべてに有効となる。
【産業上の利用可能性】
【００３９】データセンターなど多くのラックを連結する場合にラック複数台分の累積寸法誤差を減らせ、ラック重量の軽量化と低価格化が可能となる。【００４０】１ユニットとして複数台分の搭載物を一括管理できる為、省スペースの設置や管理労力と費用の削減が可能となる。
【符号の説明】
【００４１】  １  下部枠
２  上部枠
３  アングル枠
４  上部枠フサギ板
５  側板ガイド
６  引戸
７  側板
８  通路扉
９  通路扉ガイド
１０  連結通しフレーム
１１  通路天板
１２  通しフレーム天板
１３  ファン用フサギ板
１４  通しフレーム正面フサギ板
１５  免震装置
１６  免震装置奥行連結バー
１７  免震装置幅連結バー
【図１】
2014216633.tif 000003
【図２】
2014216633.tif 000004
【図３】
2014216633.tif 000005
【図４】
2014216633.tif 000006
【図５】
2014216633.tif 000007
【図６】
2014216633.tif 000008
【図７】
2014216633.tif 000009
【図８】
2014216633.tif 000010
【図９】
2014216633.tif 000011
【図１０】
2014216633.tif 000012